(57)【要約】      （修正有）【課題】新たにピンタイプホルダーに変換する必要がない照明灯用転換ホルダーの構造を提供する。【解決手段】高輝度放電ランプ（ＨＩＤ）の多数の電極ピンを挿入し、ネジタイプの導電ソケットとして使用できる照明灯転換ホルダーである。転換ホルダーの絶縁台座の一端は照明灯の台座に合わせ、内部に電極ピンと対応して接続する多数の導電接続部品を設ける。絶縁台座の別端は中空状導電ソケットを嵌合し、導電ソケットの外周に導電ネジ部を具有し、及び該末端に異なる極性の導電頭部を設ける。転換ホルダーにある多数の導電接続部品は相対する導電接線を設けることで、対応する導電ネジ部、導電頭部と電気接続する。【選択図】図３
0003155062.tif 000002
【実用新案登録請求の範囲】
【請求項１】
電極ピン、絶縁台座、導電接続部品、導電ソケットを具有し、
多数ある電極ピンは照明灯台座に挿入し、
該絶縁台座の一端は照明灯の台座に合わせ、内部に電極ピンと対応する多数の導電接続部品を設け、
該絶縁台座の別端は中空状の導電ソケットを接続し、導電ソケットの外周に導電ネジ部を具有し、及び該末端に異なる極性の導電頭部を設け、
該多数の導電接続部品は相対する導電接線を設け、対応する導電ネジ部及び導電頭部と電気接続することを特徴とする照明灯用転換ホルダーの構造。
【請求項２】
前記絶縁台座の一端に多数の孔を設け、内側に向けて多数の導電接続部品と対応し、絶縁台座の内部に絶縁層を設けることで、多数の導電接続部品を収納することを特徴とする請求項１記載の照明灯用転換ホルダーの構造。
【請求項３】
前記絶縁台座の一端に凸リングを設け、照明灯の台座外周縁に嵌合し、
該絶縁台座の一端に多数の弾性掛合部品を設け、該台座にそれと掛合する掛合部を設けることを特徴とする請求項１記載の照明灯用転換ホルダーの構造。
【請求項４】
前記多数の導電接続部品はそれぞれ中心孔を具有し、対応する照明灯の電極ピンを挟持し、
該転換ホルダーの導電ソケットは、導電ネジ部と導電頭部の間に絶縁部を設けることを特徴とする請求項１記載の照明灯用転換ホルダーの構造。
【考案の詳細な説明】
【技術分野】
【０００１】
本考案は照明灯用転換ホルダーの構造に関し、特に電極ピンタイプの照明灯をネジタイプホルダーに挿入して使用する照明灯用転換ホルダーの構造に関する。
【背景技術】
【０００２】
現在の照明設備は街灯照明、車のライト照明、広告照明、室内照明及び機器設備の照明などがある。一般的に照明灯は白熱灯や蛍光灯、水銀灯などの種類があり、室内外に元あるネジタイプのホルダーに螺設する。このような照明灯は水銀蒸気が環境汚染を起こすほか、照明効率が悪く、消費電力が比較的高い。
【０００３】
現在の室内外用照明設備は照明効率を引き上げるために、キノセンランプやセラミックメタルハライドランプ(CDM-T)、ハロゲンランプなどの高輝度放電ランプ(HID)への交換を考慮している。この類の照明灯１は図１及び図２に示すように、多くは電極ピン１４、１５であり、該ピンに合致するホルダー９及び孔９４、９５に合致する必要がある。相対的にネジタイプのホルダー(図に未掲載)に適用しない。よって、室内外に元あるネジタイプのホルダーをピンタイプのホルダー９に変えることで、ピンタイプの照明灯１を設置することができる。
【０００４】
元のネジタイプホルダーをピンタイプホルダー９に変更する際、相当な人力と作業コストを費やすことになる。特にピンタイプのホルダー９に変更した後、一般のネジタイプ照明灯を使用することができなくなるため、実際の適用性が問われるなど、更なる改善が必要であった。
【先行技術文献】
【特許文献】
【０００５】
【特許文献１】特開平１０−１４４４７８号公報
【考案の概要】
【考案が解決しようとする課題】
【０００６】
前記従来技術の欠点を解決するために、ピンタイプの照明灯は転換ホルダーを通じて、ネジタイプの導電ソケットに変わり、直接室内外の照明設備に元あるネジタイプのホルダーに挿入することができる。新たにピンタイプのホルダーに変換する必要がなく、ホルダー及び配線の交換に費やす時間とコストを下げるほか、使用上更に便利となる。また、ハイ効率の照明灯にも適合するなど、電力資源を節約すると共に、元あるネジタイプのホルダーを変換していないため、一般のネジタイプソケットの照明灯を使用することもできる照明灯用転換ホルダーの構造を提供することを主な課題とする。
【課題を解決するための手段】
【０００７】
前記課題を解決するため、本考案の照明灯用転換ホルダーの絶縁台座の一端は照明灯の台座に合わせ、内部に電極ピンに対応する多数の導電部品を設ける。該絶縁台座の別端は中空状の導電ソケットと接続し、該導電ソケットの外周に導電ネジ部を具有し、該末端に異なる極性の導電頭部を設ける。該転換ホルダーにある多数の導電接続部品は相対する導電接線を設け、導電ネジ部及び導電頭部を電気接続する。
【０００８】
最良実施例の中で、該転換ホルダーの絶縁台座の一端に多数の孔を設け、内側に向けて多数の導電接続部品と対応する。絶縁台座の内部に絶縁層を設け、多数の導電接続部品を収納する。また、多数の導電接続部品はそれぞれ中心孔を具有することで、照明灯と対応する電極ピンを挟持する。
最良実施例の中で、転換ホルダーの絶縁台座の一端に凸リングを設け、照明灯の台座外周の縁と嵌合する。該絶縁台座の一端に多数の彈性掛合部品を設け、該台座に多数の接続部品と掛合する掛合部を設ける照明灯用転換ホルダーの構造である。
【０００９】
本考案は下記の特徴を有する。
（１）電極ピン、絶縁台座、導電接続部品、導電ソケットを具有し、
多数ある電極ピンは照明灯台座に挿入し、
該絶縁台座の一端は照明灯の台座に合わせ、内部に電極ピンと対応する多数の導電接続部品を設け、
該絶縁台座の別端は中空状の導電ソケットを接続し、導電ソケットの外周に導電ネジ部を具有し、及び該末端に異なる極性の導電頭部を設け、
該多数の導電接続部品は相対する導電接線を設け、対応する導電ネジ部及び導電頭部と電気接続することを特徴とする照明灯用転換ホルダーの構造。
（２）前記絶縁台座の一端に多数の孔を設け、内側に向けて多数の導電接続部品と対応し、絶縁台座の内部に絶縁層を設けることで、多数の導電接続部品を収納することを特徴とする（１）記載の照明灯用転換ホルダーの構造。
（３）前記絶縁台座の一端に凸リングを設け、照明灯の台座外周縁に嵌合し、
該絶縁台座の一端に多数の弾性掛合部品を設け、該台座にそれと掛合する掛合部を設けることを特徴とする（１）記載の照明灯用転換ホルダーの構造。
（４）前記多数の導電接続部品はそれぞれ中心孔を具有し、対応する照明灯の電極ピンを挟持し、
該転換ホルダーの導電ソケットは、導電ネジ部と導電頭部の間に絶縁部を設けることを特徴とする（１）記載の照明灯用転換ホルダーの構造。
【考案の効果】
【００１０】
本考案の照明灯転換ホルダーは、高輝度放電ランプの電極ピンを挿入して使用することができ、ピンタイプの照明灯は転換ホルダーを通じて、ネジタイプの導電ソケットとして直接室内外の照明設備に元あるネジタイプのホルダーに接続することができる。新たにピンタイプホルダーに変換する必要がなく、ホルダー及び配線の交換に費やす時間とコストを下げることができ、使用上更に便利となる。また、ハイ効率照明灯にも適合し、電力資源を節約する。
【図面の簡単な説明】
【００１１】
【図１】従来技術のピンタイプホルダーをピンタイプ照明灯に設置する使用状態図である。
【図２】図１のピンタイプ照明灯とホルダーの分解図である。
【図３】本考案の転換ホルダーをピンタイプ照明灯に設置した使用状態図である。
【図４】図３の転換ホルダーと照明灯の分解図である。
【図５】図３の正面図である。
【図６】図５の転換ホルダー照明灯と組み合わせた断面略図である。
【図７】図５の転換ホルダーの断面図である。
【図８】本考案の第２実施例の転換ホルダーの正面図である。
【考案を実施するための形態】
【００１２】
本考案による照明灯用転換ホルダーの構造を明確に示すために図に沿って詳細な説明を行う。図３、図４に示すように、本考案の転換ホルダー２は主にピンタイプ照明灯１に適用し、高輝度放電ランプ(HID)のキノセンランプやセラミックメタルハライドランプ(CDM-T)、ハロゲンランプなどに使用する。照明灯１のランプ１１内部に発光体１３及び電極１６、１７を設置し、本考案の転換ホルダー２は照明灯１本体台座１２にある多数(二本或いは三本)の電極ピン１４、１５を直接差し込むことで、転換ホルダー２は直接室内外に元あるネジタイプのホルダー(図に未掲載)に接続することができる。
【００１３】
図３から図７に示す最良実施例では、本考案の転換ホルダー２の絶縁台座２１の一端は必ず照明灯１の台座１２に適合すべきである。該内部に電極ピン１４、１５を差し込む多数の導電接続部品２４、２５を設ける。同時に絶縁台座２１の別端に凸縁リング２１６を設け、中空状導電ソケット２２と接続する。導電ソケット２２の外周に導電ネジ部２６を具有し、末端に異なる極性の導電頭部２７を設ける。転換ホルダー２にある多数の導電接続部品２４、２５に相対する導電接線２８、２９を設け、電気接続で導電ネジ部２６、導電頭部２７に対応し、電源入力回路を構成する。
【００１４】
上述の本考案転換ホルダー２の組合せデザインは、図１及び図２に示すように、ピンタイプ照明灯１は転換ホルダー２を通じて、ネジタイプ導電ソケット２２として直接室内外の照明設備に元あるネジタイプホルダーに接続することができる。新たにピンタイプホルダー９に変換する必要がなく、ホルダー及び配線の交換に費やす時間とコストを下げるほか、使用上更に便利となる。また、ハイ効率照明灯にも適合し、電力資源を節約することができる。
【００１５】
図４から図７に示すように、転換ホルダー２の絶縁台座２１の一端に多数の孔２１４、２１５を設け、内側に対応する多数の導電接続部品２４、２５を設ける。絶縁台座２１の内部に絶縁層２３を設け、多数の導電接続部品２４、２５を収納する。導電接続部品２４、２５の末端は溶接或いはリベット締めの方法で相対する導電接線２８、２９を結合し、更に電気接続により導電ソケット２２に接続する。
【００１６】
図５、図６及び図７に示すように、本考案の転換ホルダー２にある多数の導電接続部品２４、２５はそれぞれ中心孔２４１、２５１があり、照明灯１と対応する電極ピン１４、１５を挟持する。転換ホルダー２の導電ソケット２２は、導電ネジ部２６と導電頭部２７の間に絶縁部２２２を設置することで、正負極性に分ける。最良組合せ構造の中で、図３、図４及び図５に示すように、転換ホルダー２の絶縁台座２１の一端に凸リング２１２を設け、照明灯１の台座１２の外周縁を嵌合する。同時に絶縁台座２１の一端に多数の弾性掛合部品２１３を設け、台座１２に多数の掛合部品２１３と相対する掛合部１８を設け、互いを掛合することで、確実に定置付けする。
【００１７】
図８に示すのは第２実施例である。転換ホルダー２０１は同様に絶縁台座２１１が導電ソケット２２１及び其の他の関連部品と組み合わせる。当該大型導電ソケット２２１は一般的に大きいサイズのネジタイプホルダーに適用する。
【産業上の利用可能性】
【００１８】
本考案の転換ホルダーは多種のサイズ規格にデザインすることができ、ピンタイプ照明灯は転換ホルダーを通じて、ネジタイプの導電ソケットとして、直接室内外の照明設備に元あるネジタイプのホルダーに設置することができる。新たにピンタイプのホルダーに変換する必要がなく、ホルダー及び配線の交換に費やす時間とコストを下げるほか、使用上更に便利となる。また、ハイ効率照明灯にも適合し、電力資源を節約する。元あるネジタイプのホルダーは従来とおり一般のネジタイプホルダー照明灯に接続することができる。
【００１９】
本考案の導電発熱コントローラーは加熱温度を正確に測定することができ、自動的に加熱温度範囲をコントロール維持することができるほか、電力を節約する。直流電圧の出力入力の降圧コントロールに適用し、ダブルプロテクトデザインを備えることで、異常加熱により危険が生じるのを避け、使用操作上の安全性を高める。
【符号の説明】
【００２０】
１  照明灯
１１  ランプ
１２  台座
１３  発光体
１４  電極ピン
１５  電極ピン
１６  電極
１７  電極
１８  掛合部
２  転換ホルダー
２１  絶縁台座
２２  導電ソケット
２３  絶縁層
２４  導電接続部品
２５  導電接続部品
２６  導電ネジ部
２７  導電頭部
２８  導電接線
２９  導電接線
２０１  転換ホルダー
２１１  絶縁台座
２１２  凸リング
２１３  掛合部品
２１４  孔
２１５  孔
２１６  掛合部品
２２１  導電ソケット
２２２  絶縁部
２４１  中心孔
２５１  中心孔
【図１】
0003155062.tif 000003
【図２】
0003155062.tif 000004
【図３】
0003155062.tif 000005
【図４】
0003155062.tif 000006
【図５】
0003155062.tif 000007
【図６】
0003155062.tif 000008
【図７】
0003155062.tif 000009
【図８】
0003155062.tif 000010
【手続補正書】
【提出日】平成21年8月28日(2009.8.28)
【手続補正１】
【補正対象書類名】明細書
【補正対象項目名】００１９
【補正方法】削除
【補正の内容】